(57)【要約】【課題】複数物品と複数の付属品とを纏まりよく包装することを可能にすること。【解決手段】供給コンベヤ４２によって物品１０１とサイドコンベヤ５１との間の間隙５５が形成される。その間隙５５に対し物品１０１の側面を目がけて付属品１０２を投下するための付属品コンベヤ６１が設けられる。間隙５５は付属品１０２が起立状態に維持される狭い幅であるため、投下された付属品１０２は物品１０１の側面に沿って起立された状態で物品１０１とともに製袋手段に向かって搬送される。このため、複数の付属品１０２を分散することなく物品１０１と纏めて一括して包装できる。【選択図】図４
2016055912.tif 000002
【特許請求の範囲】
【請求項１】
フィルム供給源から引き出された帯状のフィルムを製袋手段において筒状に成形してその内部に物品と共に付属品を供給し、フィルムにシールを施して包装品を得るようにした横形製袋充填機であって、
前記製袋手段に向けて載置した物品を所定間隔ごとに供給する供給コンベヤと、
該供給コンベヤの物品載置面の一側に配設され、同供給コンベヤと同速で移動可能な走行面を有し、同供給コンベヤで搬送される物品の側面との間に上方を開放した間隙を有するサイドコンベヤと、
前記供給コンベヤの搬送方向と搬送向きが交差する方向で配設され、搬送終端を前記間隙の上方に臨ませ、複数の付属品を集合状態にて前記間隙へ投下する付属品コンベヤとを備え、
前記間隙は、前記投下した複数の付属品が物品の側面で起立して重なり合える幅に設定され、供給コンベヤで搬送中の物品が、付属品コンベヤの搬送終端が臨む位置を通過するまでに、前記付属品が前方の移動面に衝突して落下するように付属品コンベヤから投下して前記物品の側面に複数の付属品が起立姿勢で重なって添うように位置付かせるようにした
横形製袋充填機における付属品供給装置。
【請求項２】
前記サイドコンベヤは、前記付属品コンベヤの搬送終端が臨む位置から、前記製袋手段まで延在する走行面を備えた無端ベルトコンベヤで構成した請求項１に記載の横形製袋充填機における付属品供給装置。
【請求項３】
前記サイドコンベヤが面する物品の一側面と反対側の物品側面を供給コンベヤの全長に亘って案内可能な搬送ガイドを備えた請求項１または２に記載の横形製袋充填機における付属品供給装置。
【請求項４】
前記付属品コンベヤは、前記搬送終端に向けて下降するよう傾斜して配設される請求項１〜３のうちのいずれか一項に記載の横形製袋充填機における付属品供給装置。
【請求項５】
前記搬送ガイドは、前記間隙の幅寸法を変更可能に位置調節し得る調節手段を備えた請求項３に記載の横形製袋充填機における付属品供給装置。
【請求項６】
物品となる複数のカップ状容器を隣り合う容器の表裏を違えて複数行複数列に集合して搬送し、付属品コンベヤの搬送終端から前記間隙に向けて、重なって集合した複数の付属品を連続的に投下して、前記間隙において、複数の付属品を物品の側面に添わせて重ね、その物品と付属品とを前記製袋手段で成形したシュリンクフィルムに供給して包装した後に、そのフィルムを加熱収縮して、複数の付属品が物品の側面に添って起立して重なるようフィルムで密着包装された一括包装品を得るようにした請求項１〜５のうちのいずれか一項に記載の横形製袋充填機における付属品供給装置。
【発明の詳細な説明】
【技術分野】
【０００１】
本発明は、横形製袋充填機において、複数の物品と、複数の付属品とを纏めて製袋手段に向けて供給することに適する付属品供給装置に関する。
【背景技術】
【０００２】
特許文献１及び特許文献２には、包装装置の供給コンベヤの押送片で弁当容器を所定間隔ごとに製袋手段に向けて押送し、そのコンベヤの側方に設けた別の押送片によって割り箸を容器の側方に沿わせて容器と並走させて、それらを製袋手段へ向けて供給するようにした供給装置が提案されている。
【０００３】
また、特許文献３においては、容器搬送コンベヤの側方に、横倒し状に載置した割り箸を搬送する箸搬送ベルトコンベヤを配置し、これらベルトコンベヤによって容器と箸を製袋手段側へ供給する装置が提案されている。
【先行技術文献】
【特許文献】
【０００４】
【特許文献１】実開平５−３５６１８号公報
【特許文献２】実開平７−２１５０２号公報
【特許文献３】特開平１１−１７１１４５号公報
【発明の概要】
【発明が解決しようとする課題】
【０００５】
前記の各特許文献は弁当などの食品容器に１つの箸を沿わせて搬送するものである。このような従来装置によれば、例えば、アイスクリームのカップ状容器を複数個纏めた物品を包装する場合において、個々の容器内の食品を食するのに供するスプーンなどの付属品を、容器の数に応じて複数個添付して一緒に包装するに当たり、各付属品を容器側面に配置して容器と付属品が分離せず、付属品の集合状態を保ってフィルムへ送り込んで包装することは困難であった。そのため、従来では、それぞれの容器に付属品を取り付けたり、或いは袋入りの付属品を複数個ずつ繋げるようにするなどにより、付属品が容器から分離・分散しないようにした上で、包装するようにしていた。
【０００６】
本発明の目的は、横形製袋充填機において物品と付属品とを纏めて包装するに当たり物品に必要とされる複数の付属品を物品の側方から分離・分散することなくフィルムの製袋手段に向けて送り込み、物品と付属品とを纏まり良く位置付けられたフィルム包装品を得ることにある。
【課題を解決するための手段】
【０００７】
上記の目的を達成するために、本発明の横形製袋充填機における付属品供給装置は、フィルム供給源から引き出された帯状のフィルムを製袋手段において筒状に成形してその内部に物品と共に付属品を供給し、フィルムにシールを施して包装品を得るようにした横形製袋充填機であって、前記製袋手段に向けて載置した物品を所定間隔ごとに供給する供給コンベヤと、該供給コンベヤの物品載置面の一側に配設され、同供給コンベヤと同速で移動可能な走行面を有し、同供給コンベヤで搬送される物品の側面との間に上方を開放した間隙を有するサイドコンベヤと、前記供給コンベヤの搬送方向と搬送向きが交差する方向で配設され、搬送終端を前記間隙の上方に臨ませ、複数の付属品を集合状態にて前記間隙へ投下する付属品コンベヤとを備え、前記間隙は、前記投下した複数の付属品が物品の側面で起立して重なり合える幅に設定され、供給コンベヤで搬送中の物品が、付属品コンベヤの搬送終端が臨む位置を通過するまでに、前記付属品が前方の移動面に衝突して落下するように付属品コンベヤから投下して前記物品の側面に複数の付属品が起立姿勢で重なって添うように位置付かせるようにしたことを特徴とする。ここで、前記移動面は、物品の側面及びサイドコンベヤの走行面の少なくとも一方を指す。
【０００８】
従って、本発明においては、供給コンベヤによって所定の間隔をおいて搬送される各物品の側方の間隙に対し、その上方に交差して配置された付属品コンベヤの搬送終端から、集合状態で搬送されてきた付属品が投下される。そして付属品は、前方に位置している物品の側面またはサイドコンベヤの走行面に対して連続的に衝突した後に供給コンベヤの搬送面に落下する。前記間隙は複数の付属品を起立状態で重ねて収めることができる狭い幅であり、供給コンベヤの搬送面上には、複数の付属品を起立姿勢で相互に重ねて載置させることができる。この間隙において、付属品の重なり方向となる左右が物品の側面とサイドコンベヤの走行面とで規制され、サイドコンベヤは供給コンベヤと同速で走行することによって、付属品の物品と対面する側の反対面はサイドコンベヤによって搬送力が付与され、付属品は物品と一緒になって製袋手段に向けて搬送される。そして、その製袋手段によって筒状に成形されたフィルム中に物品と複数の付属品とが纏まって位置付けられた状態で一緒に供給され、そして、フィルムに所要のシールが施され、それにより、物品の側面に複数の付属品が纏まって位置づけられた状態のフィルム包装品を得ることができる。
【０００９】
前記の構成において、サイドコンベヤは、付属品コンベヤの搬送終端が臨む位置から、前記製袋手段まで延在する走行面を備えた無端ベルトコンベヤで構成することが好ましい。
【００１０】
このようにすれば、搬送方向に連続走行する無端ベルトによって付属品の一側面側を製袋手段に至るまで支持して案内できるので、付属品は物品と連れ立って搬送されて相互に位置ずれや姿勢変化を伴うことなく、製袋手段まで安定して搬送することができる。
【００１１】
前記の構成において、サイドコンベヤが面する物品の一側面と反対側の物品側面を供給コンベヤの全長に亘って案内可能な搬送ガイドを備えることが好ましい。
このようにすれば、搬送ガイドによって物品の一側が規制され、供給コンベヤで製袋手段まで送り込まれる物品の幅方向への位置ずれを防止して前記間隙を一定に保持することができる。また、投下された付属品によって物品の一側が押されて移動し、間隙の幅が拡開してしまうのを未然に防止できる。これにより、搬送中に付属品の起立姿勢が乱れたり、倒伏したり、分散したりするのを防止することができる。
【００１２】
前記の構成において、前記付属品コンベヤは、前記搬送終端に向けて下降するよう傾斜して配設することが好ましい。
このようにすれば、付属品コンベヤの搬送終端から放出された付属品の落下時の放物線をより直線的にすることができて、後続の付属品が勢いよく次々に先行の付属品に接触しながら供給コンベヤの搬送面に至る。このため、複数の付属品を重ねながら起立させ易く、物品の搬送速度が高速であっても、付属品が分散することなく、付属品を物品の側面に添わせることができる。
【００１３】
前記の構成において、物品となる複数のカップ状容器を、隣り合う容器の表裏を違えて複数行複数列に集合して搬送し、付属品コンベヤの搬送終端から前記間隙に向けて、重なって集合した複数の付属品を連続的に投下して、前記間隙において、複数の付属品を物品の側面に添わせて重ね、その物品と付属品とを前記成形フィルムに供給して包装した後にそのフィルムを加熱収縮して、複数の付属品が物品の側面に添って起立して重なるようフィルムで密着包装された一括包装品を得る。
【００１４】
このようにすれば、物品及び付属品の管理や保管、その他の販売までに至る流通時において複数の容器と付属品とをコンパクトに纏められた状態で取り扱うことができて、取り扱いが簡便になると共に、流通コストも抑制することができる包装体とすることができる。
【発明の効果】
【００１５】
本発明によれば、製袋手段に向けて搬送される物品の側方に複数の薄板状の付属品を起立して重なった状態で位置付かせて、製袋手段に送り込むことができるので、物品と複数の付属品とを纏まりよく一括包装することができる。
【図面の簡単な説明】
【００１６】
【図１】包装品を示す斜視図。
【図２】横形製袋充填機の付属品供給装置を示す概略側面図。
【図３】付属品供給装置を示す概略平面図。
【図４】付属品供給装置を示す概略正面図。
【図５】付属品供給装置で物品の側面に付属品を供給した状態を示す要部概略正面図。
【図６】物品と付属品とがフィルム内へ配置された状態を製袋手段の上流から見た状態を示す概略正面図。
【発明を実施するための形態】
【００１７】
以下に、本発明を具体化した実施形態を図面に基づいて説明する。
はじめに、本実施形態の横形製袋充填機によって得られる包装品について説明する。
図１に示すように、本実施形態における物品１０１は、アイスクリーム，プリン，ヨーグルト等の食品が充填された底面が上面より大きい円錐台形状を呈するカップ状容器であり、付属品１０２は、前記食品を食するのに用いられる薄板状小片からなる木製や合成樹脂製のスプーンである。前記物品１０１は、他の形状、例えば円筒状であってもよい。付属品１０２は、スプーン以外の薄板状のものでもよい。そして、複数列複数行の隣り合うカップ状容器が上下反転して相互に接した状態で集合し（例えば、６個）、その容器の集合品からなる物品１０１の側面に、その複数個の容器を食するのに用いる個々の木製スプーンからなる付属品１０２が複数起立姿勢で重なった状態で添えられて、シュリンクフィルム２２を用いた横形製袋充填機によって物品１０１及び付属品１０２を包装した後に、シュリンクフィルム２２が加熱収縮され、複数の付属品１０２が物品の側面に添って起立姿勢で重なるようフィルム２２で密着包装された一括包装品１０５を得ることができる。
【００１８】
本実施形態に係る横形製袋充填機の基本的構成は、図２に示すように、フィルム供給源である下方に配置された原反ロール２１から上方へ引き出した帯状のシュリンクフィルム２２（以下、便宜上フィルム２２と称す）を製袋手段２３で筒状に成形するとともに、前記複数の容器を集合した物品１０１に複数の付属品１０２を添わせて、それらを、供給コンベヤ４２に載置して筒状に成形されるフィルム２２に向けて、所定間隔ごとに供給する。そして、図６に示すように、帯状のフィルム２２の幅方向両幅端部が上方で重合され、その重合部には、縦シール手段７２によってフィルム搬送方向に向けて連続する縦シールが施され、次いで、筒状のフィルム２２に供給された物品１０１を挟む前後位置が、横シール手段７３によりフィルム搬送方向と交差する方向に横シール・切断される。そして余裕を持ったフィルム２２で包まれた物品は、その後工程においてフィルム２２が加熱収縮されて、物品１０１および付属品１０２にフィルム２２が密着した一括包装品１０５を得るよう構成される。
【００１９】
以下に、本実施形態の横形製袋充填機における付属品供給装置の構成について説明する。
図２及び図３に示すように、前記製袋手段２３の上流側に接続される供給コンベヤ４２の上流には、集合状態となった物品１０１を所定間隔ごとに供給コンベヤ４２に送り込む導入コンベヤ３７が配設される。この導入コンベヤ３７には、サーボモータで駆動されて走行する無端ベルト３０が配設され、その無端ベルト３０の両側において搬送上流と下流とに支持された各スプロケット３３間にチェン３４が掛装されている。そして両チェン３４間には搬送バー３６が搬送方向に所定間隔毎に架設され、スプロケット３３が図示しない連携部を介して接続されるサーボモータによって左右一体的に回転駆動され、搬送バー３６は前記無端ベルト３０と同速または僅かに速い速度で前進する。
【００２０】
搬送バー３６の前進により、無端ベルト３０に集合状態で載置された物品１０1が後方から支持されて所定間隔ごとに搬送される。
前記導入コンベヤ３７の下流には、前記製袋手段２３の上流部に接続されて該製袋手段２３によって筒状に成形されるフィルム２２に向けて前記物品１０１を集合状態で供給する無端ベルト式の供給コンベヤ４２が配設される。この供給コンベヤ４２は、製袋手段２３で筒状に成形されるフィルム２２の搬送速度と同じ速度で走行するように、図示しないサーボモータにより駆動されて、上流側の導入コンベヤ３７から搬送されてきた集合状態の物品１０１を所定間隔毎に載置して、集合状態を乱すことなく製袋手段２３により成形される筒状フィルム２２に送り込むようにしている。
【００２１】
図３及び図４に示すように、前記供給コンベヤ４２の一側には、供給コンベヤ４２の搬送方向に沿って物品１０１の一側面を案内可能な搬送ガイド４３が配設されている。この搬送ガイド４３は、供給コンベヤ４２の搬送始端から搬送終端までにかけて延在する案内部材４５を備え、案内部材４５から搬送方向に所定間隔を隔てて延出する各ネジ棒４８とナット４７とからなる位置調節手段４９によってブラケット４６に位置調節可能に支持されている。そして、搬送ガイド４３における各ネジ棒４８のブラケット４６に対する支持位置が調節されることにより、搬送ガイド４３が供給コンベヤ４２の左右方向に位置調節されて、供給コンベヤ４２に載置されて搬送される集合状態の物品１０１の左右幅にあわせてその一側面が案内部材４５によって案内されるよう、適切に位置調節される。
【００２２】
前記物品１０１の搬送ガイド４３で案内する一側面とは反対側となる他側面側において、走行面を物品の他側面に臨ませて水平循環走行する無端ベルト５０を備えたサイドコンベヤ５１が配置されている。サイドコンベヤ５１は、サーボモータ５２により走行駆動され、供給コンベヤ４２の搬送中途部と搬送終端部とに離間した一対のプーリ５４間に巻き掛けられた走行面５１１が供給コンベヤ４２の搬送方向に向けて延在している。サイドコンベヤ５１は前記走行面５１１が後述の付属品コンベヤ６１との交差部から前記搬送終端部までに亘って延在し、供給コンベヤ４２で搬送される物品１０１の前記他側面との間で所定の間隔を隔てると共にその上方を開放した空間を有する所定幅Ｗの間隙５５を形成し、前記走行面５１１は供給コンベヤ４２と同速度で並走する。
【００２３】
供給コンベヤ４２におけるサイドコンベヤ５１が配設された前記物品１０１の他側面に搬送終端部が臨み、供給コンベヤ４２の搬送始端と終端との中間部において、搬送向きが交差する方向となるよう、直交配置された無端ベルト式コンベヤからなる付属品コンベヤ６１が供給コンベヤ４２の一側に向けて延在するよう設置されている。この付属品コンベヤ６１は前記搬送終端に向けて下降するよう傾斜して配設されるとともに、その搬送終端部が供給コンベヤ４２の搬送高さより高い位置に配置されて、前記間隙５５の上部開放部に臨んでいる。そして、複数の付属品１０２を前後を重ねた集合品として、その集合品を所定間隔毎に載置して搬送し、その搬送終端部から前記間隙５５内に投下する。この付属品コンベヤ６１は、図示しないサーボモータにより前記供給コンベヤ４２と位置同期するよう走行駆動され、前記供給コンベヤ４２で搬送される物品１０１が、前記搬送終端の臨む位置を通過するまでの間に、付属品１０２が前方の移動中の物品１０１の側面に衝突して落下するように、付属品コンベヤ６１からタイミングを合わせて投下して前記間隙５５に至らせることで、前記物品１０１の側面に複数の付属品１０２が起立姿勢で重なって添うように位置付かせる。
【００２４】
この場合、間隙５５において、供給コンベヤ４２に載置された複数の付属品１０２が物品１０１の側面に添って重なった起立姿勢となるように、間隙５５の幅が設定されている。すなわち、薄板状の付属品１０２が間隙５５内において倒伏姿勢となって、上下方向へ積層されてしまうことがないように、間隙５５の幅Ｗは、付属品１０２を倒伏させた時の付属品１０２の横幅寸法より狭く、且つ、複数の付属品１０２を起立して重ねた横幅寸法よりも広い幅に設定されている。
【００２５】
なお、導入コンベヤ３７から供給コンベヤ４２上に物品１０１の搬送が途絶えた時などで、物品１０１が所定間隔ごとに供給されない場合は、それに対応して付属品コンベヤ６１への付属品の供給が休止される。このため、欠品箇所に対応して供給コンベヤ４２に所定間隔ごとに物品１０１が供給されずに、物品１０１が載置されていない空所である欠品箇所が存在する場合でも、その欠品箇所に対応して付属品コンベヤ６１の搬送終端から付属品１０２が投下されることは無い。また、供給コンベヤ４２におけるその欠品箇所に対応した供給コンベヤ４２の現在位置が前記製袋手段２３で成形されるフィルム２２への物品送り込み予定位置まで到った際には、横形製袋充填機におけるフィルム搬送手段や縦シール手段並びに横シール手段の作動などが一時休止されるよう構成されており、それにより、製袋手段２３で筒状に成形されるフィルム２２中に物品１０１が供給されていない空袋品を作ってしまうことは無い。
【００２６】
次に、以上のように構成された横形製袋充填機の作用を説明する。
導入コンベヤ３７に載置された複数の集合した物品１０１は無端ベルト３０に載置されその後方を搬送バー３６により支持されて所定間隔毎に搬送されて、供給コンベヤ４２上に受け渡される。供給コンベヤ４２上の物品１０１は、製袋手段２３によって筒状に成形されるフィルム２２に向けて、所定間隔を維持したまま該フィルム２２の搬送速度と同じ速度で搬送される。
【００２７】
そして、図３及び図４に示すように、供給コンベヤ４２上において所定間隔ごとに送り込まれる複数個ずつに集合した物品１０１に付属品１０２がその側方から合流するように、物品１０１が供給コンベヤ４２に載置されて付属品コンベヤ６１の搬送終端が臨む位置まで搬送されてくる時期に合わせて、付属品コンベヤ６１で一部が重なって横に寝て集合した複数の付属品１０２を供給コンベヤ４２で搬送されてきた物品１０１の側面に目がけて投下する。そして、纏まった状態で付属品コンベヤ６１の搬送終端からサイドコンベヤ５１の走行面と物品１０１の側面とで成す間隙５５へ落下する付属品１０２は、前方を通過する物品１０１の側面が前方の壁となり、そこに衝突しつつ落下する。そして、供給コンベヤ４２で搬送中の物品１０１が、付属品コンベヤ６１の搬送終端が臨む位置を通過するまでの間に、前記すべての付属品１０２が前方を通過する物品１０１移動面に衝突して落下する。それによって付属品１０２は図５に示すように、物品１０１の側面で起立姿勢で重なって添った状態で位置付く。
【００２８】
ここで、間隙５５の幅Ｗは、物品１０１の一側に付属品１０２を倒伏させた時の付属品１０２の横幅寸法より狭く、且つ、複数の付属品１０２を起立して重ねた横幅寸法よりも広い幅に設定されている。従って、付属品１０２は起立姿勢で重なる集合状態が崩れてしまうことなく、物品１０１の側面に姿勢を乱すことなく添った状態として、供給コンベヤ４２の幅方向一側端側に載置される。すなわち、付属品１０２が投下されると、搬送中の物品１０１の側面が壁となって付属品１０２は堰き止められた状態で落下する。そして、物品１０１が付属品コンベヤ６１との対向位置を通過するまでの間に、付属品１０２は落下するのを完了する。従って、付属品１０２は物品１０１の側面に添って起立姿勢で重なり、集合した物品１０１の前後長さに対応して許容される長さを超えて分散することなく、その集合状態が維持されて前記製袋手段２３により成形される筒状フィルム２２へ送り込まれる。
【００２９】
ここで、前記間隙５５の幅は物品１０１の一側面を案内する搬送ガイド４３によって一定に保持されており、集合した物品１０１の横幅が異なるものを包装する際などで、間隙５５の幅を変更する際には、前記位置調節手段４９による調節によって対応することができる。
【００３０】
このため、付属品１０２は起立姿勢で重なった状態のまま、サイドコンベヤ５１の走行により、物品１０１に添って供給コンベヤ４２に載置されて搬送され、一包装単位が崩れることなく製袋手段２３で成形されるフィルム２２中に移載される。言い換えれば、物品１０１に対応して間隙５５内に落下投入され、物品１０１の一側で起立姿勢で重なるようにして纏まった状態となった付属品１０２は、物品１０１とサイドコンベヤ５１の走行面５１１とにより両側が支持された状態となって、供給コンベヤ４２上に載置されてフィルム２２の成形位置まで搬送される。このため、フィルム２２へ供給される物品１０１と付属品１０２とはその集合状態が維持され、付属品１０２が物品１０１の前後に分散したり、起立姿勢で重なった状態が崩れてしまったりすることなどを防止することができる。そして、供給コンベヤ４２の搬送速度は、前記フィルム搬送手段によるフィルム２２の搬送速度と同じ速度に物品１０１を搬送するように設定されているので、前記のように姿勢が保持された状態で供給コンベヤ４２に載置された物品１０１と付属品１０２とは共に筒状成形されるフィルム２２に速度差なく移載されて、フィルム２２に移載される際にも、集合した複数の物品１０１や複数の付属品１０２の相互間隔、または、物品１０１と付属品１０２との位置関係が変化して分散してしまうといったことが無く、その集合状態を維持することができる。
【００３１】
そして、フィルム２２は縦シール手段７２によって縦シールが施された後に横シール手段７３によって横シール・切断され、その後フィルム２２が加熱収縮されることで図１に示すように、複数の付属品１０２が物品１０１の側面に添って起立姿勢で重なり、フィルム２２で密着包装した一括包装品１０５を得ることができる。
【００３２】
従って、本実施形態においては、以下の効果を得ることができる。
（１）供給コンベヤ４２によって所定の間隔をおいて搬送される物品１０１とサイドコンベヤ５１との間の間隙５５に付属品１０２が投下され、物品１０１の側面に衝突して落下する。間隙５５は付属品１０２が起立状態に維持される狭い幅であるため、付属品１０２は物品１０１の側面に添って起立姿勢で重なり、物品１０１とともに製袋手段２３に向かって搬送され、その製袋手段２３において筒状に成形されたフィルム２２によって包装される。このため、複数の付属品１０２が分散することなく物品１０１と纏めて一括して包装できる。従って、一括包装品１０５における物品１０１及び付属品１０２が複数であっても、それらを一括して体裁良く包装でき、また、物品１０１及び付属品１０２の管理や保管、その他の販売までに至る流通時において複数の容器である物品１０１と付属品１０２とをコンパクトに纏められた状態で取り扱うことができて、取り扱いが簡便になると共に、流通コストも抑制することができる包装体とすることができる。
【００３３】
（２）付属品１０２を起立させるための間隙５５が供給コンベヤ４２と並走するサイドコンベヤ５１の走行面５１１と物品１０１の側面との間に形成されている。このため、複数の起立姿勢で重なる付属品１０２を供給コンベヤ４２とサイドコンベヤ５１との協働によって物品１０１とともに分散することなく製袋手段２３で成形される筒状フィルム２２に向けて送り込むことができるので、物品１０１と付属品１０２とが分散することなく、フィルム２２で纏めて一括包装することができる。
【００３４】
（３）付属品コンベヤ６１に対して物品１０１を挟んだ反対側の一側に設けた搬送ガイド４３に物品１０１の一側が案内されて搬送されるので、間隙５５の幅が変化することなく常に一定に維持される。このため、付属品１０２が倒伏して重なることを防止することができる。
【００３５】
（４）付属品コンベヤ６１をその搬送方向終端が下向きになるように傾斜させたので、搬送終端から放出された付属品１０２の落下時の放物線をより直線的にすることができて、後続の付属品１０２が勢いよく次々に先行の付属品１０２に接触しながら供給コンベヤ４２の搬送面に落下する。このため、複数の付属品１０２を重ねながら起立させ易く、物品１０１の搬送速度が高速であっても、複数の付属品１０２が分散することなく、付属品１０２を物品１０１の側面に纏めて添わせることができる。
【００３６】
（５）前記物品１０１は、カップ状容器であって、付属品１０２はそのカップ状容器を個々に食する時の薄板状小片からなるスプーンなどの飲食補助具であり、実施形態の装置においては、それらを纏めて集合し、一括包装ができるため、複数の容器と付属品１０２とをコンパクトに纏めた状態で取り扱うことができて、物品１０１と付属品１０２との一括包装品１０５を複数個箱詰め包装する時や保管、その他の販売までに至る流通時において取り扱いが簡便になると共に、流通コストも抑制することができる。
【００３７】
本発明は、前記実施形態に限定されるものではなく、本発明の趣旨を逸脱しない限り、以下のように適宜変更が可能である。
・無端ベルト式サイドコンベヤ５１に代えて、物品の側面に面して間隙部の自走式側壁として機能するその他の走行コンベヤを採用してもよい。
【００３８】
・付属品コンベヤ６１を水平にすること。この場合は、供給コンベヤ４２の走行速度を遅くして、重なった付属品１０２が落下する時に付属品１０２同士が大きく分離しないようにするなどにより対応できる。
【００３９】
・物品１０１は複数である必要は無い。また、カップ状容器と飲食補助具とからなる物品１０１と付属品１０２との組み合わせに限られるものではなく種々の物品と薄板状物品からなる付属品との組み合わせに適用できる。
【符号の説明】
【００４０】
２２…フィルム、２３…製袋手段、３６…搬送バー、４２…供給コンベヤ、４３…搬送ガイド、５１…サイドコンベヤ、５５…間隙、６１…付属品コンベヤ、１０１…物品、１０２…付属品、１０５…一括包装品、５１１…走行面、Ｗ…幅。
【図１】
2016055912.tif 000003
【図２】
2016055912.tif 000004
【図３】
2016055912.tif 000005
【図４】
2016055912.tif 000006
【図５】
2016055912.tif 000007
【図６】
2016055912.tif 000008